(57)【要約】      （修正有）【課題】直接地熱を植物の根毛に照射し植物を育成するシステムの一つであるが省エネ構造で照射効率が高いシステムを提供する。【解決手段】ヒュームパイプ管のジョイントは防水材でめずめを十分にする。重機の撹拌を考慮して重機より３０ｃｍ深くパイプを埋設する。イチゴ苗２本床のカーボン発熱体施工は省エネで理想的な工法である。【選択図】図１
0003117880.tif 000002
【実用新案登録請求の範囲】
【請求項１】
冬季ビニールハウス内での植物根毛の保温手段において、馬蹄形の床では連結式ヒュームパイプに帯状カーボンヒーターと電力補助電線を一体にして挿入させ、前記ヒュームパイプを馬蹄形床の頂点から５０ｃｍ以内の地中に、こもり熱利用のパイプヒーターとして埋設することで、パイプ内カーボンヒーターから放射する遠赤外線熱が植物の根毛に照射し成長を助成してなることを特徴とするパイプ内こもり熱利用の省エネパイプヒーター。
【請求項２】
前記記載の連結式ヒュームパイプに異常温度で遮断するニクロム線を挿入し、地中５０ｃｍ以内にこもり熱利用のパイプヒーターとして埋設し、該こもり熱を植物の根毛に照射させ成長を助成してなることを特徴とする請求項１記載のパイプ内こもり熱利用の省エネパイプヒーター。
【請求項３】
請求項１又は請求項２に記載のパイプヒーターによる根毛成長温度の制御方法は、長尺パイプであってもパイプ内こもり温度は一定である関係上、パイプ上面と土壌との間に感熱点センサーを置き、根毛周辺を１０℃〜２０℃範囲内の成長温度になるようコントローラーで制御してなる温度制御装置。
【請求項４】
植物の根毛成長手段において、５０ｃｍ以内の地中に３０ｃｍ〜５０ｃｍの断熱材とカーボン面発熱体を長尺に埋設し、該カーボン面発熱体に送電すると遠赤外線電磁波熱はカーボン面発熱体上部の土壌に広くこもり熱として発生し、根毛周辺に感熱点センサーを設置し、成長温度を１５℃〜２０℃の範囲内でコントローラーで制御してなることを特徴とする省エネ構造の育苗用カーボン面発熱体。
【考案の詳細な説明】
【技術分野】
【０００１】  本考案は直接地熱を植物の根毛に照射し植物を育成するシステムの一つであるが省エネ構造で照射効率が高いシステムを提供する。
【背景技術】
【０００２】  近年の農業技術では植物の育成には地熱応用が常識となっています。一般的には、地中にパイプを埋設しボイラーで温水にしてパイプに温水を循環させる方法が多く見られる。この方法はボイラーの燃費と夜間の管理が大変でコストも高くつくのが問題であった。
【考案の開示】
【考案が解決しようとする課題】
【０００３】  農業用の空調設備は作物の価格により異なる。よほど高価な作物でないと採算性がない。日本の気候風土からスイカ、メロン、イチゴ、等の栽培にビニールハウスを作り空調設備をしているのは大農家では育苗ハウスが多い。特にここ数年はイチゴの栽培ハウス内の空調が目立つようになった。しかし、地熱の保温設備で省エネ設備は未だ見当たらない。
【考案を解決するための手段】
【０００４】  ハウス内の空調でボイラーの場合管理費とランニングコストが高い。従ってそれ以外で有効なシステムを検討する。
本考案は、管理と制御と効率を考えた。理論上は地熱を満足させて更に、地熱からの余熱をハウス内空調に適応させる方法が一番有効である。提案１は、イチゴの栽培床は馬蹄形が多い、通常馬蹄形床に黒色のビニールを覆うように衛生上保護してある。
【０００５】  イチゴの苗は馬蹄形床の天辺中央に植えられて根毛は馬蹄形に沿って伸びてくる。この場合の一番有効な地熱装置は馬蹄床底辺にパイプヒーターを埋設するとよい。
本考案では、省エネ構造としてこもり熱方式を採用した。更に遠赤外線の電磁波熱を放射するカーボンヒーターを採用し、直径１０ｃｍの連結式ヒュームパイプの中に帯状ヒーターを長尺に挿入させる。
【０００６】施工は簡単で埋設時にパイプを連結する毎に帯状ヒーターの先端を紐で結び引っ張りながら長尺に固定する。電気の供給は容量の大きい電線を帯状ヒーターに添わせるようにして長尺に結線する。温度制御はサーマルコントローラーの点センサーをバイプ天辺と土との間に固定させ、根毛周辺温度１５℃〜２０℃を勘案しコントローラーで制御させる。この方式は「こもり温度」利用で有効である。
特にイチゴの場合１月〜３月は根毛の保温次第では花が咲かなく収穫に影響を及ぼす。
【０００７】  植床幅が広い作物を２列に植える場合の地熱は、地中４０ｃｍ〜５０ｃｍの深さに断熱材と広幅のカーボン面発熱体をを埋設する。電気の供給と制御は７ｍ毎にコントローラーを設置し連結させる。温度センサーは地中１５ｃｍ〜２０ｃｍの深さの根毛周辺に点センサーを埋設させる。
カーボン面発熱体からは１０ミクロン前後の最適遠赤外線電磁波を放射すると共に電気の変換効率が高く省エネ構造になっており地熱利用には最適である。
【考案の効果】
【０００８】  通常イチゴの根毛は土中温度が５℃以下に下がれば成長が止まると言われている。根毛の成長が止まれば開花はなくなる。この様な状況を解決するには本考案の省エネパイプヒーターで冬季１５℃〜２０℃に保温すると最適である。
帯状ヒーターの発熱量を３０ｄａｇにすることで根毛周辺温度１５℃にするには３０分あれば放熱される。
【０００９】  ２列の苗床でも苗と苗の間隔が５０ｃｍの場合埋設ヒーターの幅は５０ｃｍで苗２本の根毛温度を満たすことはできる。カーボン面発熱体からの遠赤外線電磁波熱は浸透性があり熱変換効率が高く省エネ構造である。燃費も安く実用性が高い。
この方式でニュージーランドから輸入したペピーノは現地では年間１度の栽培であったが日本では本考案の施工をしたため毎月栽培できた実績をもっている。
【考案を実施するための最良の形態】
【００１０】  以下図面に基づいて本考案の実施の形態について述べる。図１は通常イチゴ栽培に適応する馬蹄形床Ｖａの断面図である。馬蹄形床Ｖａの中央底辺にφ１０ｃｍのヒューム管Ｈｅを長尺に埋設する。ヒューム管Ｈｅ内部には７ｃｍ幅の帯状カーボンヒーターＣｈと電気容量を補足する電線Ｄｅが前記帯状カーボンヒーターＣｈと一体に挿入される。電気の供給は帯状カーボンヒーターＣｈの１０ｍ位置毎に、配電盤を設置し電気Ｄｅから±線をもって連結される
ここで重要なことは、ヒューム管Ｈｅを連結するジョイントの取り付けは後日水がはいらないように完全にとりつける。カーボンヒーターＣｈの取り付けは先端位置に長尺紐を結びジョイント毎に次ぎのヒューム管Ｈｅに紐を通し引っ張ることで帯状カーボンヒーターＣｈは挿入される。温度制御用センサーＳｅはヒューム管Ｈｅの上面にとりつける。
最後に馬蹄形床Ｖａの表面に黒色のビニールシートＢｅを覆い完了する。
温度制御はセンサーＳｅ位置を２０℃〜２５℃で制御すれば根毛Ｃｍ周辺は１５℃〜２０℃となり育成温度は保たれる。
次ぎに図２に基づいて本考案の実施の形態について述べる。イチゴ苗を２列に植える床である。この場合の保温システムは床上面から４０ｃｍ〜５０ｃｍの深さに断熱材Ｄａと幅５０ｃｍ程度のカーボン面発熱体Ｃｈを採用する。この場合こもり熱は斜線に点線Ａで表示した内部の根毛Ｃｍに照射される。
電気的接続は７ｍ〜１０ｍ位置にコントローラーＣｎと電源コードが配線され、この位置からカーボン面発熱体に±コードＤｅが結線されている。
温度センサーＳｅは根毛Ｃｍ周辺位置に差し込み固定され一定温度で制御されている。
【産業上の利用可能性】
【００１１】  本考案の図１又は図２の施工法は、図１の場合は、熊本のスイカの栽培にも適応できるシステムと思われる。図２の施工法は千葉、茨城周辺のパイブハウス内のメロン、スイカの栽培で再度１度作る場合は適応できる。しかし冬季に再度つくる場合の太陽光線の照射問題は弊社出願の遠赤外線照射体を適応させると植物の栽培は可能である。
【図面の簡単な説明】
【００１２】
【図１】馬蹄床のパイプヒーターの施工断面図である。
【図２】２列苗床の省エネ保温装置の断面図である。
【符号の説明】
【００１３】Ｖａ…馬蹄形床
Ｈｅ…ヒューム管
Ｄｅ…電源コード
Ｃｈ…カーボンヒーター
Ｃｍ…根毛
Ｓｅ…感熱センサー
Ｂｅ…黒色ビニールシート
Ｃｎ…コントローラー
Ｄａ…断熱材
Ａ…こもり温度境界斜線
【図１】
0003117880.tif 000003
【図２】
0003117880.tif 000004